(57)【要約】【課題】ステップの下方に燃料タンクを設けた移動農機において、燃料タンクを大容量にするため幅広に形成しても、ステップからはみ出した燃料タンクの上面に水や泥等が溜らないようにして錆びの発生を抑制し、もって燃料漏れ、あるいは燃料への異物の混入等を未然に防止できるようにする。【解決手段】上記燃料タンク１５を幅広に形成すると共に、ステップ１４からはみ出した上記燃料タンク１５の上面部分を下方に向けて傾斜状に形成した。【選択図】　　図４
2004009980.tif 000002
【特許請求の範囲】
【請求項１】
ステップの下方に燃料タンクを設けた移動農機において、上記燃料タンクを幅広に形成すると共に、ステップからはみ出した上記燃料タンクの上面部分を、下方に向けて傾斜状に形成したことを特徴とする移動農機における燃料タンク装置。
【請求項２】
ステップの下方に燃料タンクを設けた移動農機において、上記ステップの側方下部に乗降用の補助ステップを傾斜状に張出し形成すると共に、上記ステップからはみ出した燃料タンクの上面部分を、補助ステップに沿わせて傾斜状に形成したことを特徴とする移動農機における燃料タンク装置。
【発明の詳細な説明】
【０００１】
【発明の属する技術分野】
本発明は、移動農機における燃料タンク装置に係り、特に、ステップの下方に設けた容量の大きな燃料タンク装置に関するものである。
【０００２】
【従来の技術】
一般に、農業用トラクタのような移動農機では、燃料の補給操作を容易にするため、燃料タンクを運転席の両側にあるステップの下方に配置することが多いが、このような燃料タンクは、容量を大きくして燃料補給の回数を減らすことにより作業能率を向上させることが望ましい。
【０００３】
ところが、このような燃料タンクを大容量にするため幅広に形成すると、ステップの側端から燃料タンクが側方にはみ出してしまい、このはみ出した部分には、上方を覆う遮蔽物としてのステップが無くなるので、燃料タンクの上面に雨水や泥等が溜まり易くなる。このため、水や泥の溜まった部分に錆びが発生し、これが原因となって燃料タンクが損傷して燃料漏れ、さらには燃料への異物混入等につながるという問題があった。
【０００４】
また、一般に容量の大きな燃料タンクは、必要な強度を確保するため、タンク表面に補強用の絞り加工を施すことが多いが、この絞り加工による複雑な形状のくぼみ部分に水や泥等が溜まり易くなるので、一層錆び等が発生し易くなるものである。
【０００５】
【発明が解決しようとする課題】
本発明は、上記のような実情に鑑み、これらの問題点を解消すべく創作されたものであって、ステップの下方に配置される燃料タンクを、大容量化して作業能率の向上を図ることができるようにし、しかも、大容量化することによって燃料タンクがステップの側端から側方にはみ出しても、このはみ出した部分の上面に雨水や泥等が溜まらないようにして錆びの発生を抑制し、従来のように錆びの発生により燃料タンクが損傷して燃料漏れ、さらには燃料への異物混入等につながるのを未然に防止できる移動農機における燃料タンク装置を提供しようとするものである。
【０００６】
【課題を解決するための手段】
上記の課題を解決するため、本発明が講じた技術的手段は、ステップの下方に燃料タンクを設けた移動農機において、上記燃料タンクを幅広に形成すると共に、ステップからはみ出した上記燃料タンクの上面部分を下方に向けて傾斜状に形成したことを特徴とし、また、上記ステップの側方下部に乗降用の補助ステップを傾斜状に張出し形成すると共に、上記ステップからはみ出した燃料タンクの上面部分を補助ステップに沿わせて傾斜状に形成したことを特徴とするものである。
【０００７】
【発明の実施の形態】
つぎに本発明の実施の形態を添付した一実施例の図面に基いて詳細に説明する。まず図１〜図３において、１は移動農機として例示する農業用トラクタの走行機体であって、左右の前車輪２、２および後車輪３、３を備えた機体フレーム４の前部側に、ボンネット５で覆われたエンジン部６が搭載され、該エンジン部６後方には運転操作部７が配置されている。
【０００８】
上記運転操作部７には、ボンネット５の後端に位置してステアリングコラム８が立設されており、その後方には、後車輪３、３を覆うフェンダー９、９の対向間に運転席１０が配設されている。１１はステアリングホイール、１２は運転操作部７の周辺を覆うキャビンである。また走行機体１の後部には、作業機を連結するための３点リンク機構１３が昇降調節自在に装備されている。
【０００９】
１４は運転席１０の床面となるステップであって、このステップ１４の両側下方には左右の燃料タンク１５、１５が配設されており、また上記ステップ１４の側方下部には、オペレータが機体に昇降するための補助ステップ１６が装着されている。
【００１０】
すなわち、図４〜図６で示すように、機体の略中央にあるクラッチハウジング１７の両側に、側方に突出する左右のフレーム１８、１８が装着されており、該フレーム１８、１８の先端部に、防振ゴム１９、１９を介して前記ステップ１４が取付支持されている。
【００１１】
そして上記ステップ１４の左右両側下面側に、それぞれ燃料タンク１５を取付けるための前部取付プレート２０および後部取付プレート２１が前後方向に燃料タンク１５の大きさに対応する所定の間隔を存して装着されており、この両取付プレート２０、２１を介して燃料タンク１５が吊り上げ状に装着されている。２２は燃料タンク１５の取付ボルトである。
【００１２】
また、左右の燃料タンク１５、１５は連結パイプ２３によって連通連結されており、一方の燃料タンク１５（本実施例では左側の燃料タンク）には燃料補給用の給油口２４が上方斜め側方に向けて立設されている。２５は燃料タンク１５の上部に設けたブリーザー、２６はヒュエルポンプへの連結パイプである。
【００１３】
そして上記燃料タンク１５は、大容量にすべく幅広の大形に形成されている。このため幅広となった燃料タンク１５がステップ１４の側端からはみだして側方に突出する状態となるが、本発明では、特にステップ１４からはみだし燃料タンク１４の上面部分を、ステップ１４の側端部近傍から側方下方に向けて傾斜状に屈曲形成することにより、水、泥等の流れ落ち易い傾斜面Ａが形成されている。
【００１４】
また、ステップ１４には前述したように昇降用の補助ステップ１６が側方下部に装着されているが、上記補助ステップ１６は、ステップ１４の側端面に固定した傾斜状の支持プレート１６ａ、１６ａ間に支持されて、ステップ１４の側方下部に向けて張り出し状に装着されている。
【００１５】
そして、上記ステップ１４からはみだした燃料タンク１５の上面部分、すなわち傾斜面Ａを補助ステップ１６の傾斜した支持プレート１６ａの下面側に沿わせるように配置されている。
【００１６】
上記のように構成したので、ステップ１４の下方に設けた燃料タンク１５であっても、幅広に形成したことにより容量が大きくなって、作業能率を向上させることができる。
【００１７】
そして幅広に形成したことにより、燃料タンク１５がステップ１４の側端から側方にはみ出して、その上方に遮蔽物としてのステップが無くなっても、燃料タンク１４の上面部分を、ステップ１４の側端部近傍から側方下方に向けて傾斜状に屈曲することにより、水、泥等の流れ落ち易い傾斜面Ａを形成したので、燃料タンク１５の上面に水や泥が溜まり難くなって、錆びの発生が抑制される。
【００１８】
また、上記傾斜面Ａを、補助ステップ１６の下面側に沿わせるように形成したので、燃料タンク１５がステップ１４から突出していても、補助ステップ１６を突出した燃料タンク１５のガイドとすることができる。
【００１９】
また、燃料タンク１５の上面部分を、ステップ１４の側端部から屈曲形成して傾斜面Ａを形成したので、ステップ１４と燃料タンク１５との間に段差がなくなり、ステップ１４から燃料タンク１５にかけてのデザインの向上を図ることができる。。
【００２０】
【発明の効果】
これを要するに本発明は、ステップの下方に燃料タンクを設けた移動農機において、上記燃料タンクを幅広に形成すると共に、ステップからはみ出した上記燃料タンクの上面部分を下方に向けて傾斜状に形成し、また、上記ステップの側方下部に乗降用の補助ステップを傾斜状に張出し形成すると共に、上記ステップからはみ出した燃料タンクの上面部分を補助ステップに沿わせて傾斜状に形成したことから、燃料タンクの容量が大きくなって作業能率を向上させることができる。
【００２１】
しかも幅広に形成した燃料タンクがステップからはみ出しても、傾斜状に形成した燃料タンクの上面には水や泥等が溜り難いので、錆びの発生を抑制できて、燃料漏れ、燃料への異物の混入等を未然に防止することができる。
【００２２】
また、燃料タンクの上面部分を補助ステップに沿わせて傾斜状に形成したものでは、ステップの側方下部に形成した補助ステップを、ステップからはみ出した燃料タンクのガードとすることができ、しかも、傾斜状に形成した燃料タンクの上面部分には、ステップとの間に段差がなくなるので、ステップから燃料タンクにかけてのデザインの向上を図ることができるものである。
【図面の簡単な説明】
【図１】農業用」トラクタの全体側面図である。
【図２】同上平面図である。
【図３】同上正面図である。
【図４】燃料タンクの正面図である。
【図５】動上燃料タンクの取付プレートを示す正面図である。
【図６】補助ステップの側面図である。
【符号の説明】
１４　　　ステップ
１５　　　燃料タンク
１６　　　補助ステップ
Ａ　　　　燃料タンクの上面部分に形成した傾斜面
【図１】
2004009980.tif 000003
【図２】
2004009980.tif 000004
【図３】
2004009980.tif 000005
【図４】
2004009980.tif 000006
【図５】
2004009980.tif 000007
【図６】
2004009980.tif 000008